(57)【要約】【課題】  大容量の換気を可能とする共に、扉に限らず建物のあらゆる個所において採風が可能な換気装置を提供すること。【解決手段】  框１０〜１３により形成される框面１４の室外側と室内側の空気流通のために開口された空気流通部としての開口部２０を備え、且つ、前記上下框１０、１１間の略中央に亘って設けられた換気框２と、この換気框２の開口部２０を開閉する蓋框３と、前記換気框２の開口部２０を前記蓋框３により開閉可能に連結する連結部材４（図４等参照）と、この連結部材４を介して、前記蓋框３により前記開口部２０を閉鎖したり、開放すると共に、前記開口部２０の閉鎖時に前記蓋框３を前記扉１側に係止させる操作部としてのハンドル部５と、前記換気框２の開口部２０に取付けられた防虫ネット６（図６等参照）と、前記換気框２の左右の框面１４に取付けられた化粧部材７とからなる。【選択図】        図５
2006169941.tif 000002
【特許請求の範囲】
【請求項１】
建物用の換気装置であって、
換気框と、
前記換気框の長手方向又は短手方向に沿って設けられた空気流通部と、
前記空気流通部を開閉する蓋框と、
前記換気框に対して前記蓋框を開閉可能に連結する連結部材と、
前記連結部材を介して、前記蓋框により前記空気流通部を閉鎖したり開放すると共に、前記空気流通部の閉鎖時に前記蓋部を前記換気框側に係止させる操作部を備えたことを特徴とする換気装置。
【請求項２】
前記換気框の空気流通部に防虫ネットが取付けられたことを特徴とする請求項１に記載の換気装置。
【請求項３】
前記換気框が扉に配置されることを特徴とする請求項１に記載の換気装置。
【請求項４】
前記換気框が窓に配置されることを特徴とする請求項１に記載の換気装置。
【請求項５】
前記換気框が壁面の開口に配置されることを特徴とする請求項１に記載の換気装置。
【発明の詳細な説明】
【技術分野】
【０００１】
本発明は、窓、扉等の建物の開口に設置される換気装置に関する。
【背景技術】
【０００２】
窓や扉等に設けられた換気構造については、種々のものがある。
扉の換気構造として比較的簡単なものは、例えばドアに上げ下げ窓を組込む構造のもの、ガラスルーバーを組込む構造のものがある。
しかしこのような構造では、ガラス面が可変又は移動することで換気する為に、外部から明らかに換気中であることが確認でき、居住者のプライバシーの保護の面に欠け、また換気中に換気口から内部に腕を入れて扉を解錠することも可能になっていた。
【０００３】
一方、上記のような不都合を解消するような、通風機能が付与された扉が開示されている（特許文献１）。この特許文献１に係る扉は、その扉の中央部に設けられた通風機構ユニットにより換気されるようになっている。
【特許文献１】特開２００３−１６１０８２
【０００４】
しかし、この通風機構ユニットは通風可能な複数の開口部を、回転蓋部材の偏心回転により開閉する構造となっていて、通風機構が複雑で部品点数も多く、コスト高になることが十分に予測できる。
【０００５】
また、窓の換気構造については、特許文献２に記載されているように室外側見付け片を有する第１形材と、室内側見付け片を有する第２形材の少なくともいずれか一方に換気口を有する見込み片を形成し、第１形材と第２形材の少なくともいずれか一方に、換気口を開放状態と閉鎖状態とに切り替える開閉板を移動自在に支持させて構成されている。
【特許文献２】特開２０００−３２０２６９
【０００６】
この特許文献２の換気構造は、換気中に換気口から内部に腕を入れて扉を解錠することは不可能で、その意味では防犯可能な換気装置となっているが、大容量の換気は望めない。
【発明の開示】
【発明が解決しようとする課題】
【０００７】
そこで、本発明に係る換気装置は、大容量の換気を可能とする共に、換気中でも不審者の手や腕が侵入し難い構造とし、また外部から換気中であるか否かが判りづらく、その外観の意匠をくずすことのない構造とし、さらに、扉に限らず、建物のあらゆる個所において採風、換気、通気が可能な換気装置を提供することを目的とする。
【課題を解決するための手段】
【０００８】
上記課題を解決するため本発明に係る換気装置は、換気框と、前記換気框の長手方向又は短手方向に沿って設けられた空気流通部と、前記空気流通部を開閉する蓋框と、前記換気框に対して前記蓋框を開閉可能に連結する連結部材と、前記連結部材を介して、前記蓋框により前記空気流通部を閉鎖したり開放すると共に、前記空気流通部の閉鎖時に前記蓋部を前記換気框側に係止させる操作部を備えたことを特徴とする（請求項１に記載の発明）。
【０００９】
上記発明において、前記換気框の空気流通部に防虫ネットが取付けられたことを特徴とする換気装置とした（請求項２に記載の発明）。
【００１０】
本発明の換気装置は、建物の採風、換気、通気が必要な任意の開口場所に設けることが可能であって、その開口として例えば扉、窓、壁面等の開口がある（請求項３、請求項４、請求項５に記載の発明）。
これらの開口には、開口枠（例えば窓の窓枠）を設けても良いし、このような開口枠がないものでもよい。
また開口が窓の場合、窓の種類に限定されるものでもなく、嵌殺窓、引違窓、片引窓、竪辷り窓、開き窓、上下げ窓、その他あらゆる種類の窓が含まれる。
これらの窓の場合、換気装置の配置位置は、窓枠の内側、窓枠に隣接する外側でもよいし、窓枠に内外障子等の框が設けられている場合には、その框の内側、框に隣接する外側でもよい。
【発明の効果】
【００１１】
本発明によれば、大容量の換気を可能とする共に、換気中でも不審者の手や腕が侵入し難い構成とし、また外部から換気中であるか否かが判りづらく、その外観の意匠をくずすことがない構成とし、さらに、扉に限らず、建物のあらゆる開口個所において換気等が可能な換気装置を提供することができる。
【発明を実施するための最良の形態】
【００１２】
本発明に係る換気装置の実施形態を図面に基いて説明する。
本発明に係る換気装置は、換気が必要な建物の任意の開口場所に設けることが可能であって、以下では、扉に設けられた換気装置の実施形態、嵌殺窓に設けられた換気装置の実施形態、引違い窓に設けられた換気装置の実施形態、片引き窓に設けられた換気装置の実施形態、竪辷り出窓に設けられた換気装置の実施形態、開き窓に設けられた換気装置の実施形態、上げ下げ窓に設けられた換気装置の実施形態、プロジェクトサッシ系の窓に設けられた換気装置の実施形態、スライディングサッシ系の窓に設けられた換気装置の実施形態及び壁面に設けられた換気装置の実施形態のそれぞれについて説明する。
【００１３】
図１は扉に設けられた換気装置の正面図、図２は換気前の同扉の背面斜視図、図３は換気後の同扉の背面斜視図、図４及び図５はそれぞれ同扉の換気前及び換気後の縦断面図、図６及び図７は同扉の換気前及び換気後の横断面図である。
これらの各図及び後述の各図において、同一の構成は同一の符号を付して重複した説明を省略する。
【００１４】
実施形態に係る扉１の換気装置は、図１〜図３に示したように上下左右の框１０〜１３により形成される框面１４の室外側と室内側の空気流通のために開口された空気流通部としての開口部２０を備え、且つ、前記上下框１０、１１間の略中央に亘って配置された換気框２と、この換気框２の開口部２０を開閉する蓋框３と、前記換気框２の開口部２０を前記蓋框３により開閉可能に連結する連結部材４（図４等参照）と、この連結部材４を介して、前記蓋框３により前記開口部２０を閉鎖したり、開放すると共に、前記開口部２０の閉鎖時に前記蓋框３を前記扉１側に係止させる操作部としてのハンドル部５と、前記換気框２の開口部２０に取付けられた防虫ネット６（図６等参照）と、前記換気框２の左右の框面１４に取付けられた化粧部材７とからなる。
【００１５】
図１に図示したように、枠Ｆに開閉自在に取付けられ扉１は、化粧部材７としてガラス板が嵌めこまれた勝手口ドアの実施形態であって、左框１２には扉１の開閉用のハンドル８が取付けられている。
【００１６】
前記換気框２の開口部２０は、図３〜図７に示したように、前記上下框１０、１１間の略中央に開口を画成するために設けられた上下左右の画成枠２１〜２４と、それら左右の画成枠２３、２４の室外側をカバーするカバー枠２５から構成されている。
【００１７】
前記上下画成枠２１、２２は前記上下框１０，１１に沿って取付けられて、前記開口部２０の横幅寸法を設定するもので、それら上下画成枠２１、２２の両端部から左右の竪框１２、１３に平行して、左右画成枠２３、２４がそれぞれ配置されている。
図４のように前記上下画成枠２１、２２は略Ｌ字状に形成され、また図６のように前記左右画成枠２３、２４もその中空部から略Ｌ字状に形成され、それぞれ縦辺２１０、２２０、２３０、２４０が室外側に延べ出されて形成されている。
各Ｌ字の縦辺２１０〜２４０の自由端部には水密材又は／及び気密材の取付用のサヤ部２１１、２２１、２３１、２４１が形成され、それらサヤ部２１１〜２４１に水密材又は／及び気密材が取付けられるようになっている。
なお、これらの水密材又は／及び気密材は閉鎖時の前記蓋框３に密着されるようになっている。
【００１８】
前記カバー枠２５は、図７等に図示したように左右画成枠２３、２４の室外側を化粧するもので、前記左右画成枠２３、２４の縦辺２３０、２４０の自由端部から室外側に延出されたヒレ２５０から左右の外側に向って、ラウンドする膨出部２５１が形成されている。
尚、前記ヒレ２５０、２５０にはそれぞれ前記防虫ネット６を取付けるためのサヤ部が形成されている。
【００１９】
前記蓋框３は、図４及び図６のように前記各画成枠２１〜２４の縦辺２１０〜２４０に当接する蓋本体部３０と、この蓋本体部３０の室外側に設けられ、前記縦辺２１０〜２４０の自由端部により形成された縦長空間に嵌るように形成された蓋嵌合部３１と、前記蓋本体部３０の室内側をカバーする蓋カバー枠３２からなる。
【００２０】
前記蓋本体部３０は、上述のようにその上下左右縁が前記縦辺２１０〜２４０のサヤ部２１１〜２４１の気密材等に当接するサイズで縦長に形成され、且つ、中空部３００を備えていると共に、前記各サヤ部２１１〜２４１に密着できるように緩衝部３０１を備えている。
この中空部３００には、前記ハンドル部５に連動する連動棒５３、５４が収容されている（図７参照）。
【００２１】
前記蓋嵌合部３１は閉鎖時の蓋框３のガタツキ等を防ぐ機能を発揮するもので、前記縦辺２１０〜２４０の自由端部に向って挿置される枠３１０は、スムースな嵌脱を図るためテーパ状となっている。
なお、前記蓋框３の閉鎖時に雨水が開口部２０にかかってきたときに、雨水の浸入を防ぐため前記枠３１０の下部に下部キャップが取付けられ、雨水を室外側に導出させる。
【００２２】
前記蓋カバー枠３２は、前記カバー枠２５との意匠的な統一を図るために、膨出部３２０、３２０が形成されている。
また、左右の膨出部３２０、３２０間には溝部３２１が形成されており、その溝部３２１に前記ハンドル部５が取付けられている。
なお、この溝部３２１は手がけともなっており、蓋框３の開閉をスムースに行えるようになっている。
【００２３】
前記連結部材４として、この実施形態では、上下にそれぞれ一対のステーが使用されており、それぞれステーの一端が前記左右画成枠２３、２４に回動自在に、それぞれステーの他端が前記蓋框３に回動自在に取付けられている。
なお、前記蓋框３を開放する際のステーに対する規制は、蓋框３が例えば３０ｍｍ程度に飛び出した位置でステーの動作が停止される構成であればどのようなものでもよい。例えばスプリングの一端を前記左右画成枠２３、２４側に、その他端を前記蓋框３に付けて規制してもよい。また、ダンパーなどのフリクションタイプのものでもよい。
【００２４】
前記ハンドル部５は、所謂グレモン錠の構成となっており、図４及び図５に示したように、ハンドルアーム５０を回転させることになり、上下アーム５１、５２が昇降し、これらの上下アーム５１、５２に連動する連動棒５３、５４が昇降し、それらの先端が前記上下画成枠２１、２２に出没するようになっている。
よってハンドルアーム５０を回転操作することで、連結部材５３、５４を介して、前記蓋框３により前記換気框２の開口部２０を閉鎖したり、開放すると共に、開口部２０の閉鎖時に、前記蓋框３を前記換気框２に係止させる。
【００２５】
前記防虫ネット６は、その端部が前記カバー枠２２５のサヤ部に取付けられている。
【００２６】
前記化粧部材７としてガラス板がはめ込まれているがドアの用途によってどのような部材でもよい。
【００２７】
次に前記扉１の換気方法を説明する。
「換気動作」
前記ハンドルアーム５０を例えば反時計方向に略９０度回転させ、そのハンドルアーム５０を保持したまま、ハンドル部５を手前に引いて室内側に蓋框３を引き出せばよい。
「閉鎖動作」
前記ハンドル部５を把持して、前記蓋框３を前記換気框２に押し付けるようにした後、ハンドルアーム５０を時計方向に略９０度回転させればよい。
【００２８】
上記扉１によれば、
ａ．  前記換気框２の開口部２０に対して、前記蓋框３を押込んだり、引出したりする動作で換気を行うため、構造が簡素な換気構造を提供することができる。
ｂ．  このような構造は外観の意匠をくずすことなく、また前記化粧部材７のガラス板が移動するものでもないので、外部から換気中であるか否かが判り難いものとなっている。
ｃ．  特に前記防虫ネット６により、外観から換気中であるか否かが判り難くなっている。
ｄ．  前記換気框２の開口部２０の横幅は狭く（例えば略１８〜３０ｍｍ）、開口部２０から室内側に腕等を入れることはできず、扉１の開閉用のハンドル８を操作することは極めて難しいので、換気中でも不審者が扉１から侵入し難い換気構造となっている。
ｅ．  換気動作は、前記ハンドルアーム５０を回転させ、そのまま蓋框３を室内側に引き出せばよく、また閉鎖動作は前記ハンドルアーム５０を把持して前記蓋框３を前記換気框２に押付けるようにしてハンドルアーム５０を回転させればよいので、換気の操作性が良い。
ｆ．  前記換気框２の開口部２０の横幅は狭いが、しかし前記開口部２０は、框面１４の上下幅（長手方向）を最大限に利用しているので、十分な換気量を得ることができる。
ｇ．  病院のように人の出入りに制限が設けられているドアに前記換気装置を設けることで、換気が可能になる。
ｈ．  この実施形態のように、開口部２０が長手方向に延びるタテ型の前記換気装置では、冷たい空気と暖かい空気を循環させる時に効果的である。
【００２９】
上記実施形態では、操作部としてハンドル部５を用いたが、これに代わる構成として図８Ａ〜８Ｃのように、上下摘み５Ａ、５Ａを把持して接近させた場合に、前記上下アーム５１、５２も接近して連動棒５３、５４の先端を前記上下画成枠２１、２２から離脱させるものでもよい。
前記上下摘み５Ａ、５Ａから手を離せば、これらの上下摘み５Ａ、５Ａ、前記上下アーム５１、５２、連動棒５３、５４は図８Ｃに示したように初期位置に戻るが、前記連動棒５３、５４の各先端は、上下画成枠２１、２２に対してそれぞれ傾斜が付けられており、前記連動棒５３、５４の先端が前記上下画成枠２１、２２に係止され易くなっている。
またこれら操作部の上下摘み５Ａ、５Ａの上げ下げの状態は、室外側から視認し難く、外部から換気中であるか否かが判り難いものとなっている。
その他の構成及び効果は、上記実施形態と同様であるので詳細な説明は省略する。
【００３０】
また前記ハンドル部５に代わる構成として図９Ａ〜９Ｃのように、スライド摘み５Ｂを押し下げると、前記上下アーム５１、５２も接近して連動棒５３、５４の先端を前記上下画成枠２１、２２から離脱させるものでもよい。
その他の構成及び効果は、上記各実施形態と同様であるので詳細な説明は省略する。
【００３１】
また前記ハンドル部５に代わる構成として図１０Ａ〜１０Ｃのように、リング状摘み５Ｃを手前に引くと、前記上下アーム５１、５２が接近して連動棒５３、５４の先端を前記上下画成枠２１、２２から離脱させるものでもよい。
その他の構成及び効果は、上記各実施形態と同様であるので詳細な説明は省略する。
【００３２】
また前記ハンドル部５に代わる構成として図１１Ａ〜図１１Ｃのように、引倒し摘み５Ｄを手前に引くと、前記上下アーム５１、５２が接近して連動棒５３、５４の先端を前記上下画成枠２１、２２から離脱させるものでもよい。
その他の構成及び効果は、上記各実施形態と同様であるので詳細な説明は省略する。
【００３３】
前記スライド摘み５Ｂの変形例として、図１２に示したように摘み部分を大型の摘み部５Ｅとしたものでもよい。
また、図１３及び図１４に示したように前記蓋框３の押込や引出を容易にするため、把持枠９を設けると共に、この把持枠９を前記蓋框３の膨出部３２０、３２０間に亘って前記溝部３２１を覆うように取付けて、その把持枠９内に摘み部としてボタン５Ｆを設けたものでもよい。
【００３４】
この前記ボタン５Ｆの構成例を図１５（Ａ）〜（Ｃ）に基いて説明する。
図１５（Ａ）は把持枠９の正面図、同（Ｂ）は把持枠９の縦断面図、同（Ｃ）は同（Ｂ）のＡ−Ａ線断面図である。
図１５（Ｂ）及び（Ｃ）に示したように、ボタン５Ｆはその上げ下げにより把持枠９内をスライドする原動ラック片９０に接続されており、このラック片９０に歯合し合うピ二オン９１と、このピ二オン９１に歯合し合い、且つ、把持枠９内をスライドする従動ラック片９２を備えている。そしてラック片９０が押し下げられると、ピ二オン９１を介してラック片９２が押し上げられる。一方、ラック片９０が押し上げられると、ピ二オン９１を介してラック片９２が押し下げられる。これらの上下動に前記上下アーム５１、５２が連動するようになっている。
よって、上下アーム５１、５２が昇降し、これらの上下アーム５１、５２に連動する連動棒５３、５４が昇降し、それらの先端が前記換気框２の上下画成枠２１、２２に出没するようになっている。
なお、図１５中、符号「９０Ａ」で示されるものは、ボタン５Ｆの静止状態を保持させるバネである。
その他の構成及び効果は、上記各実施形態と同様であるので詳細な説明は省略する。
【００３５】
また、前記ハンドルアーム５０に代えて、図１６（Ａ）（Ｂ）に示したような大型のサムターン９３でもよい。
図１６（Ａ）は、前記開口部２０の閉鎖状態でのサムターン９３の位置を示し、図１６（Ｂ）は開口部２０の開放状態でのサムターン９３の位置を示している。
このサムターン９３は、前記蓋框３の膨出部３２０、３２０の横幅より短めであることから、サムターン９３による開口部２０の開放状態は、室外側から視認し難く、外部から換気中であるか否かが判り難いものとなっている。
その他の構成及び効果は、上記各実施形態と同様であるので詳細な説明は省略する。
【００３６】
なお、この実施形態では前記化粧部材７としてガラス板がはめ込まれた勝手口ドアであるが、勝手口ドアに限定されるものでもなく、どのようなタイプの扉でもよい。
また、換気装置の位置は、框面１４の中央に限定されるものでもなく、また一つの扉１に複数の換気装置を配置してもよい。
また、換気装置の取付位置によっては、前記換気框２の短手方向に沿って前記開口部２０を設けても良い。
さらに、換気装置の配置位置は上下左右の框１０〜１３に隣接する外側でもよいし、扉１を取付ける開口枠Ｆの内側又は隣接する外側でもよい。
【００３７】
次に、別例の換気装置の実施形態を図１６〜図１９に基いて説明する。
図１６及び図１７は同換気装置の換気前及び換気後の縦断面図、図１８及び図１９は同装置の換気前及び換気後の横断面図である。
【００３８】
実施形態に係る換気装置１Ａは、開口枠１０Ａ〜１３Ａに取付けられた換気框２と、この換気框２の長手方向Ｙに設けられた空気流通部としての開口部２０と、この開口部２０を開閉する蓋框３と、この蓋框３を前記換気框２に対して開閉可能に連結する連結部材４と、この連結部材４を介して前記蓋框３により前記開口部２０を閉鎖したり、開放すると共に、前記開口部２０の閉鎖時に前記蓋框３を前記換気框２側に係止させる操作部としてのハンドル部５と、前記換気框２の開口部２０に取付けられた防虫ネット６からなる。
これらの各構成は、上記実施形態と略同一であり略同一の作用効果を奏するので、共通部分については詳細な説明を適宜省略する。
【００３９】
前記開口枠の設置場所は任意であって、例えば後述するように窓に設けたり、壁面、例えばカーテンウオールに設けてもよい。
また、前記開口枠１０Ａ〜１３Ａは、新設のみならず既設の窓枠等であってもよく、このような開口枠に対して前記換気框２はネジ等で固定されている。前記開口枠１０Ａ〜１３Ａに対し前記換気框２を一体的に成形してもよい。
図１８等に示したように、前記左右の縦枠１２Ａ、１３Ａの内側で且つ室外側には、前記換気框２に向けて防水用、防虫用及び気密用等の形材１５が取付けられている。
【００４０】
前記換気框２の左右の各画成枠２３、２４には、それぞれ緩衝枠２３Ａ、２４Ａが取付けられている。
これら緩衝枠２３Ａ、２４Ａと前記形材１５により、室内側の任意の個所に設けられた止着部２３Ｂ、２４Ｂを介して前記上下枠１０Ａ，１１Ａに前記換気框２を固定する際に、開口枠の気密性等が図られている。
【００４１】
前記左右画成枠２３、２４のサヤ部２３１と２４１の各端部は室外側にＬ字状に折曲げられてヒレ２５０が形成され、前記カバー枠２５の上面及び下面と共に、室内外側からの空気流出入用の開口２０Ａが形成されている。前記開口２０Ａは、前記換気框２の長手方向Ｙに沿って設けられ、略長方形状の開口（Ｙ１×Ｘ１  図１７及び図１９参照）となることから、大容量の空気流通部の出入口となっている。
【００４２】
前記カバー枠２５は、図１８等に図示したように、前記左右画成枠２３、２４の前記各ヒレ２５０から左右に向って凹部２５Ａが形成された後、ラウンドする膨出部２５１が形成されている。
また前記カバー枠２５には前記開口２０Ａから雨水等が浸入することを防止するための水切２６が設けられている。
そして、前記水切２６と前記凹部２５Ａ間の空間に沿って空気が前記開口２０Ａに入出できるようになっている。
【００４３】
前記連結部材４の一対のステーのそれぞれ一端は、前記左右画成枠２３、２４の縦辺２３０、２４０に回動自在に、それぞれステーの他端が前記蓋框３に回動自在に取付けられている。なお、前記ハンドル部５には、サムターン５０が用いられている。
【００４４】
以上のような換気装置によれば、上記扉の換気装置と略同一の作用効果を奏する共に、次のような効果を奏する。
ｉ．  扉用の換気装置に限定されることなく、採風の必要な建物の任意の開口場所に設けることが可能な換気装置となっている。
ｊ．  前記防虫ネット６の室外側の水切２６により、外観から換気中であるか否かがさらに判り難くなっている。
ｋ．  前記蓋框３が開放されても前記開口２０Ａからの視線は、水切２６や蓋框３により遮断されるので、プライバシーの保護も図ることができる。
ｌ．  階段室のような高さのある開口では、上方の開口と下方の開口に前記換気装置を組み込むことで、冷たい空気と暖かい空気が循環され、効果的である（図２０参照）。
【００４５】
次に、図２１Ａ〜図２１Ｄに基き、嵌殺窓に設けられた換気装置の実施形態を説明する。
図２１Ａは、一枚の嵌殺窓Ｆの窓枠に隣接する左側に前記換気装置１Ａを設置したものである。
図２１Ｂは、左右の嵌殺窓Ｆの中央の方立が位置する部分に前記換気装置１Ａを設置したものである。
図２１Ｃは、左右の嵌殺窓Ｆのそれぞれの窓枠の外側に前記換気装置１Ａを設置したものである。
図２１Ｄは、上下の嵌殺窓Ｆの中央の方立が位置する部分に前記換気装置１Ａを横置きに設置したものである。
これらの換気装置によれば、上記作用効果の他、嵌殺窓Ｆによる採光に加えて、通気も可能になる。
【００４６】
次に、図２２Ａ〜図２２Ｆに基き、引違い窓に設けられた換気装置の実施形態を説明する。
図２２Ａは、内外障子の框のそれぞれの外側に前記換気装置１Ａを固定して設置したものである。
なお、図２２Ａと同様のレイアウトであって、内外障子を配置する窓枠と障子の框間に前記換気装置１Ａを配置してもよい。
図２２Ｂは、内障子の召合せ框寄りに前記換気装置１Ａを設置したものである。
図２２Ｃは、内障子の上部に前記換気装置１Ａを横置きしたものである。
図２２Ｄは、連窓の中央の方立が位置する部分に前記換気装置１Ａを設置したものである。
図２２Ｅは、内障子の召合せ框に隣接する外寄りに前記換気装置１Ａを設置したものである。
図２２Ｆは、外障子の右框に隣接する外側と、左框に隣接する外側に前記換気装置１Ａをそれぞれ設置したものである。
さらに図示しないが、上記各障子を連接したものでもよいし、例えば図２２Ｃの外障子の上部に前記換気装置を取付けても良く、内外障子の区別なく前記換気装置を配置できる。
これらの換気装置によれば、上記作用効果の他、内外障子を施錠したまま大容量の通気も可能になり、内外障子を開放した場合の防犯上の不安も解消する。
また、雨降りの日、夜中、外出中時に換気中でも雨仕舞ができ、防犯上、有効な換気装置になっている。
【００４７】
次に、図２３Ａ及び図２３Ｂに基き、片引窓に設けられた換気装置の実施形態を説明する。
図２３Ａは、嵌殺窓Ｆの方立に前記換気装置１Ａを設置したものである。
図２３Ｂは、嵌殺窓Ｆの窓枠外側に前記換気装置１Ａを設置したものである。
なお、片引窓の框の内側又は外側に前記換気装置１Ａを設置してもよい。
これらの換気装置においても、上記作用効果と同様な効果を得ることができる。
【００４８】
次に、図２４〜図２６のように竪辷り出窓、開き窓、上下げ窓に換気装置１Ａを設けても、上記作用効果と同様な効果を得ることができる。
【００４９】
次に、図２７（Ａ）〜図２７（Ｃ）のように、窓框の内側のガラス面に換気装置１Ａを設けても、上記作用効果と同様な効果を得ることができる。
また、図２８（Ａ）〜図２８（Ｃ）のように、窓の框内のガラス面に換気装置１Ａを設けて、内外障子として、引違いに配置しても、上記作用効果と同様な効果を得ることができる。
その他、図２９（Ａ）〜図２９（Ｄ）のように、窓枠又は窓框の上、下、中間又は上下に換気装置１Ａを設けても、上記作用効果と同様な効果を得ることができる。
【００５０】
次に、壁面に前記換気装置１Ａを設置した実施形態を説明する
図３０のように例えばＲＣ造の建物の壁面を構成するカーテンウオールの一部に前記換気装置１Ａを設置してもよい。
この換気装置においては、上記作用効果の他、窓を開閉せずに大容量の通気も可能になるので、高所での換気が安全に行える。
なお、木造、鉄骨造等の壁面の開口に前記換気装置１Ａを設置してもよい。
【図面の簡単な説明】
【００５１】
【図１】実施形態にかかる扉の正面図、
【図２】同扉の換気前の背面斜視図、
【図３】同扉の換気後の背面斜視図、
【図４】同扉の換気前の縦断面図、
【図５】同扉の換気後の縦断面図、
【図６】同扉の換気前の横要部断面図、
【図７】同扉の換気後の横要部断面図、
【図８】Ａ〜Ｃ  別例の実施形態にかかる扉の縦断面図、
【図９】Ａ〜Ｃ  別例の実施形態にかかる扉の縦断面図、
【図１０】Ａ〜Ｃ  別例の実施形態にかかる扉の縦断面図、
【図１１】Ａ〜Ｃ  別例の実施形態にかかる扉の縦断面図、
【図１２】別例の実施形態にかかる扉の室内側斜視図、
【図１３】別例の実施形態にかかる扉の換気前の横要部断面図、
【図１４】別例の実施形態にかかる扉の室内側斜視図、
【図１５】Ａ〜Ｃ  それぞれ別例の実施形態にかかる操作部の正面図、縦断面図、Ａ−Ａ線断面図、
【図１６】別例の実施形態にかかる換気装置の換気前の縦断面図、
【図１７】別例の実施形態にかかる換気装置の換気後の縦断面図、
【図１８】別例の実施形態にかかる換気装置の換気前の横断面図、
【図１９】別例の実施形態にかかる換気装置の換気後の横断面図、
【図２０】換気装置を開口の上下方向に設けた場合の作用説明図、
【図２１】Ａ〜Ｄ  それぞれ換気装置を嵌殺窓に付けた場合の室内側正面図、
【図２２】Ａ〜Ｆ  それぞれ換気装置を引違窓に付けた場合の室内側正面図、
【図２３】Ａ及びＢ  それぞれ換気装置を片引窓に付けた場合の室内側正面図、
【図２４】換気装置を竪辷出窓に付けた場合の室内側正面図、
【図２５】換気装置を開き窓に付けた場合の室内側正面図、
【図２６】換気装置を上下げ窓に付けた場合の室内側正面図、
【図２７】Ａ〜Ｃ  それぞれプロジェクトサッシ系の窓の室内側正面図、
【図２８】Ａ〜Ｃ  それぞれスライディングサッシ系の窓の室内側正面図、
【図２９】Ａ〜Ｄ  それぞれ窓の上、下、中間、上下に換気装置を付けた場合の室内側正面図、
【図３０】換気装置を壁面に付けた場合の室外側正面図。
【符号の説明】
【００５２】
１  扉                                  １０〜１３  框
１０Ａ〜１３Ａ  枠
１Ａ  換気装置
１４  框面
２  換気框                              ２０  開口部
３  蓋框                                ４  連結部材
５  ハンドル部
５Ａ、５Ａ  上下摘み                    ５Ｂ  スライド摘み
５Ｃ  リング状摘み                      ５Ｄ  引倒し摘み
６  防虫ネット
７  化粧部材                            ８  開閉用のハンドル
２１〜２４  上下左右の画成枠            ２５  カバー枠
２１０、２２０、２３０、２４０  縦辺
２１１、２２１、２３１、２４１  サヤ部
２５０  ヒレ                            ２５１  膨出部
３０  蓋本体部                          ３１  蓋嵌合部
３２  蓋カバー枠                        ３００  中空部
３１０  枠                              ３２０、３２０  膨出部
５０  ハンドルアーム                    ５１、５２  上下アーム
５３、５４  連動棒
９  把持枠
５Ｅ  摘み部                            ９  把持枠
５Ｆ  ボタン                            ９０  原動ラック片
９１  ピ二オン                          ９２  従動ラック片
９３  サムターン
【図１】
2006169941.tif 000003
【図２】
2006169941.tif 000004
【図３】
2006169941.tif 000005
【図４】
2006169941.tif 000006
【図５】
2006169941.tif 000007
【図６】
2006169941.tif 000008
【図７】
2006169941.tif 000009
【図８】
2006169941.tif 000010
【図９】
2006169941.tif 000011
【図１０】
2006169941.tif 000012
【図１１】
2006169941.tif 000013
【図１２】
2006169941.tif 000014
【図１３】
2006169941.tif 000015
【図１４】
2006169941.tif 000016
【図１５】
2006169941.tif 000017
【図１６】
2006169941.tif 000018
【図１７】
2006169941.tif 000019
【図１８】
2006169941.tif 000020
【図１９】
2006169941.tif 000021
【図２０】
2006169941.tif 000022
【図２１】
2006169941.tif 000023
【図２２】
2006169941.tif 000024
【図２３】
2006169941.tif 000025
【図２４】
2006169941.tif 000026
【図２５】
2006169941.tif 000027
【図２６】
2006169941.tif 000028
【図２７】
2006169941.tif 000029
【図２８】
2006169941.tif 000030
【図２９】
2006169941.tif 000031
【図３０】
2006169941.tif 000032